(57)【要約】【課題】本発明の目的は、表示ユニットの組立性を向上させた電子機器を得ることにある。【解決手段】電子機器１は、ハウジング１０と、ディスプレイ１４と、パネル１６と、固定具１７とを具備する。ハウジング１０は、開口部１１が設けられた壁１０ａを有する。ディスプレイ１４は、ハウジング１０に収容され、開口部１１と向かい合うとともに表示領域２２を有する画面１４ａを備える。パネル１６は、ハウジング１０内において、開口部１１とディスプレイ１４の画面１４ａとの間に配置されるとともに、透過性を有する。固定具１７は、一端３１がディスプレイ１４に接着され、他端３２が上記パネル１６に接着されることで、上記パネル１６を上記ディスプレイ１４に固定する。【選択図】      図３
2007034890.tif 000002
【特許請求の範囲】
【請求項１】
開口部が設けられた壁を有するハウジングと、
上記ハウジングに収容され、上記開口部と向かい合うとともに表示領域を有する画面を備えたディスプレイと、
上記ハウジング内において、上記開口部と上記ディスプレイの画面との間に配置される透過性を有するパネルと、
上記パネルを上記ディスプレイに固定する固定具であって、一端が上記ディスプレイに接着され、他端が上記パネルに接着される固定具と、
を具備することを特徴とする電子機器。
【請求項２】
請求項１に記載の電子機器において、
上記パネルは、上記ディスプレイの画面と対向するパネル面を有し、
上記ディスプレイの画面と上記パネル面との間にスペーサを介在させたことを特徴とする電子機器。
【請求項３】
開口部が設けられた壁を有するハウジングと、
上記ハウジングに収容され、上記開口部と向かい合うとともに表示領域を有する画面を備えたディスプレイと、
上記ハウジング内において、上記開口部と上記ディスプレイの画面との間に配置される透過性を有するパネルと、
上記パネルを上記ディスプレイに固定する固定具であって、上記パネルの一端を上記ディスプレイに固定する第１の部材と、上記第１の部材と別体に形成されるとともに、上記パネルの他端を上記ディスプレイに固定する第２の部材とを備えた固定具と、
を具備することを特徴とする電子機器。
【請求項４】
請求項３に記載の電子機器において、
上記第１の部材および上記第２の部材は、それぞれ一端が上記ディスプレイに接着され、他端が上記パネルに接着されることを特徴とする電子機器。
【請求項５】
請求項４に記載の電子機器において、
上記パネルは、上記ディスプレイの画面と対向するパネル面を有し、
上記ディスプレイの画面と上記パネル面との間にスペーサを介在させたことを特徴とする電子機器。
【請求項６】
請求項１、請求項２、請求項４および請求項５のいずれかに記載の電子機器において、
上記ディスプレイは、上記画面の周縁から上記ハウジングの壁と反対の方向に延びる側面を有し、
上記パネルは、上記パネル面の周縁から上記ハウジングの壁の方向に延びるパネル側面を有し、
上記固定具の一端は、上記ディスプレイの側面に接着され、上記固定具の他端は、上記パネル側面に接着されることを特徴とする電子機器。
【請求項７】
請求項１、請求項２、請求項４および請求項５のいずれかに記載の電子機器において、
上記ディスプレイは、上記画面の周縁から上記ハウジングの壁と反対の方向に延びる側面を有し、
上記パネルは、上記開口部と向かい合う他のパネル面を有し、
上記固定具の一端は、上記ディスプレイの側面に接着され、上記固定具の他端は、上記他のパネル面に接着されることを特徴とする電子機器。
【請求項８】
請求項７に記載の電子機器において、
上記固定具は、上記ディスプレイに接着される一端と上記パネルに接着される他端との間に折曲部を有するとともに、上記一端から上記他端までが同一面上に位置するようにシート状に形成し、上記折曲部を中心として上記一端を上記他端に対して所定角度折り曲げて使用することを特徴とする電子機器。
【請求項９】
請求項８に記載の電子機器において、
上記固定具は、上記ハウジング内に露出する第１の面と、上記ディスプレイまたは上記パネルに臨む第２の面とを有し、上記折曲部は、折り曲げられるラインに沿って、上記第１の面から第２の面に貫通するスリットを有することを特徴とする電子機器。
【請求項１０】
請求項１に記載の電子機器において、
上記パネルは、上記ディスプレイの画面と対向するパネル面を有し、
上記固定具は、上記ディスプレイの画面と上記パネル面との間に配置されて、上記ディスプレイと上記パネルとの間に間隙を形成することを特徴とする電子機器。
【発明の詳細な説明】
【技術分野】
【０００１】
本発明は、例えばフィルタのようなパネルをディスプレイの前に備える電子機器に係り、特にパネルをディスプレイに固定する固定構造に関する。
【背景技術】
【０００２】
例えばポータブルコンピュータのような電子機器は、ハウジングを有する表示ユニットを備えている。このハウジングは、開口部が設けられた前壁を有するとともに、内部に例えばＬＣＤ（Liquid Crystal Display）のようなディスプレイを収容している。このディスプレイは、表示領域を有する画面を備えている。この表示領域は、ハウジングの開口部と向かい合っている。
【０００３】
さらにハウジングは、上記開口部とディスプレイの表示領域との間に、例えばフィルタやタブレットのようなパネルを収容している。このパネルは、透過性を有する材料で形成されている。したがって、ディスプレイの表示領域は、上記開口部やパネルを通じてハウジングの外部から見ることができる。
【０００４】
このようなパネルをハウジングに収容する構造としては、両面テープを用いてタブレットをハウジングに収容する構造が提案されている（例えば、特許文献１参照）。特許文献１に記載の電子機器では、タブレットとディスプレイとが互いに独立してハウジングに収容される。タブレットは、表示ユニットの上ケースの裏面およびディスプレイの画面に両面テープにより直接固定される。
【０００５】
このように、タブレットとディスプレイとを互いに独立してハウジングに収容すると、表示ユニットの組立時および分解時に、タブレットとディスプレイとを順次に取付けまたは取り外しを行う必要がある。すなわち、表示ユニットの組立性や保守交換性に改良の余地がある。そこで、ディスプレイとタブレットとを一体に保持した上で、この両者をハウジングに収容する構造が提案されている（例えば、特許文献２参照）。
【０００６】
特許文献２に記載の電子機器は、第１の保持部と第２の保持部とを有する保持部材を備える。第１の保持部は、ディスプレイの周縁部の全体を囲むフレーム形に形成され、ディスプレイを保持する。第２の保持部は、タブレットの周縁部の全体を囲むフレーム形に形成され、タブレットを保持する。
【特許文献１】特開２０００−２７６２５４号公報
【特許文献２】特開２００４−１２６１７号公報
【発明の開示】
【発明が解決しようとする課題】
【０００７】
例えば特許文献２に記載の第１および第２の保持部は、フレームを構成する部材が全て一体に形成されるとともに、コの字形の断面形状を有している。すなわち、ディスプレイを第１の保持部に保持させるためには、このフレームの内縁をめくり上げるとともに、ディスプレイを第１の保持部内に挿入する必要がある。タブレットを第２の保持部に保持させる場合も同様である。
【０００８】
このように、ディスプレイなどを保持部材に保持させるためには、フレームの内縁をめくる作業と、ディスプレイなどを保持部材に挿入する作業とを同時に行わなければならず、表示ユニットの組立性に改良の余地がある。
【０００９】
本発明の目的は、表示ユニットの組立性を向上させた電子機器を得ることにある。
【課題を解決するための手段】
【００１０】
上記目的を達成するため、本発明の一つの形態に係る電子機器は、
ハウジングと、ディスプレイと、パネルと、固定具とを具備する。上記ハウジングは、開口部が設けられた壁を有する。上記ディスプレイは、上記ハウジングに収容され、上記開口部と向かい合うとともに表示領域を有する画面を備える。上記パネルは、上記ハウジング内において、上記開口部と上記ディスプレイの画面との間に配置されるとともに、透過性を有する。上記固定具は、上記パネルを上記ディスプレイに固定するためのものであり、一端が上記ディスプレイに接着され、他端が上記パネルに接着される。
【発明の効果】
【００１１】
この構成によれば、パネルをディスプレイに容易に取付けることができ、表示ユニットの組立性が向上する。
【発明を実施するための最良の形態】
【００１２】
以下に本発明の実施の形態を、ポータブルコンピュータに適用した図面に基づいて説明する。
【００１３】
図１ないし図７は、本発明の第１の実施形態に係る電子機器としてのポータブルコンピュータ１を開示している。図１に示すように、ポータブルコンピュータ１は、本体２と表示ユニット３とを備えている。
【００１４】
本体２は、箱状の本体ケース４を備えている。本体ケース４は、上壁４ａ、周壁４ｂ、および図示しない底壁を有している。本体ケース４の上壁４ａは、キーボード５を支持している。
【００１５】
図１に示すように、表示ユニット３は、本体ケース４の後端部に図示しないヒンジ装置を介して支持されている。そのため、表示ユニット３は、本体ケース４の上壁４ａを上方から覆うように倒される閉じ位置と、上壁４ａを露出させるように起立する開き位置との間で回動可能である。
【００１６】
図２に示すように、表示ユニット３は、ハウジングベース６、一対の固定金具７ａ，７ｂ、液晶表示モジュール８、およびハウジングカバー９を備えている。ハウジングベース６は、底壁６ａと、底壁６ａの周縁から起立する周壁６ｂとを有する。
【００１７】
液晶表示モジュール８は、固定金具７ａ，７ｂを介してハウジングベース６に取付けられる。ハウジングカバー９は、ハウジングベース６との間に液晶表示モジュール８を挟むようにして、ハウジングベース６に取付けられる。したがって、ハウジングベース６およびハウジングカバー９は、互いに協働して液晶表示モジュール８を収容するハウジング１０を構成している。言い換えると、ハウジングカバー９は、ハウジング１０の前壁１０ａを構成し、ハウジングベース６の底壁６ａおよび周壁６ｂは、それぞれハウジング１０の後壁１０ｂおよび側壁１０ｃを構成している。
【００１８】
ハウジング１０の前壁１０ａは、開口部１１を有する。図１に示すように、液晶表示モジュール８は、開口部１１を通じてハウジング１０の外部に露出している。
【００１９】
図３に示すように、液晶表示モジュール８は、液晶表示ディスプレイ１４（以下、ＬＣＤ１４）、６つのスペーサ１５、パネルとしてのフィルタ１６、および固定具１７を備えている。なお図４は、表示ユニット３の断面図である。固定具１７は、図３中に示すように一部に切欠きを有するが、図４中では説明のために固定具１７の切欠きを省略して模式的に示す。
【００２０】
ＬＣＤ１４は、前面１４ａ、後面１４ｂ、上側面１４ｃ、下側面１４ｄ、左側面１４ｅ、および右側面１４ｆを有する板状に形成されている。図４に示すように、ＬＣＤ１４の前面１４ａは画面の一例であり、ハウジング１０の開口部１１と向かい合う。ＬＣＤ１４の前面１４ａは、縁部２１を除くほぼ全体に表示領域２２を有する。ＬＣＤ１４の後面１４ｂは、ハウジング１０の後壁１０ｂと向かい合う。ＬＣＤ１４の後面１４ｂは、ＬＣＤ１４およびフィルタ１６を制御するための図示しない基板や電子部品を実装している。
【００２１】
ＬＣＤ１４の上側面１４ｃ、下側面１４ｄ、左側面１４ｅおよび右側面１４ｆは、それぞれＬＣＤ１４の前面１４ａの周縁と後面１４ｂの周縁とを繋ぐように延びている。すなわち、上側面１４ｃ，下側面１４ｄ，左側面１４ｅ，および右側面１４ｆは、それぞれ前面１４ａの周縁からハウジング１０の前壁１０ａと反対の方向に延びている。
【００２２】
なお、ＬＣＤ１４は、ディスプレイの一例である。ディスプレイの種類は、ＬＣＤ１４に限られず、例えばプラズマディスプレイや有機ＥＬディスプレイでも良く、その種類は問わない。
【００２３】
図３に示すように、６つのスペーサ１５は、それぞれＬＣＤ１４の前面１４ａの縁部２１に取付けられる。具体的には、６つのスペーサ１５は、ＬＣＤ１４の４つのコーナー部と、ＬＣＤ１４の長手方向の中央部とに分かれて配置される。図４に示すように、スペーサ１５の前にはフィルタ１６が配置される。スペーサ１５は、ＬＣＤ１４とフィルタ１６との間に介在されて、これら両者間に間隙Ｇを形成している。本実施形態では、スペーサ１５は、接着剤２４によりＬＣＤ１４に固定されるが、スペーサ１５の固定方法は接着に限らない。スペーサ１５の材料は、樹脂、ゴム、または金属でも良く、その種類は問わない。
【００２４】
図４に示すように、フィルタ１６は、ハウジング１０の開口部１１とＬＣＤ１４の前面１４ａとの間に配置される。フィルタ１６は、パネル面としてのフィルタ後面１６ｂ、他のパネル面としてのフィルタ前面１６ａ、並びにパネル側面としてのフィルタ上側面１６ｃ、フィルタ下側面１６ｄ、フィルタ左側面１６ｅおよびフィルタ右側面１６ｆを有する。
【００２５】
フィルタ前面１６ａは、ハウジング１０の開口部１１と向かい合う。フィルタ後面１６ｂは、ＬＣＤ１４の前面１４ａと対向するとともに、スペーサ１５と接している。フィルタ上側面１６ｃ、フィルタ下側面１６ｄ、フィルタ左側面１６ｅおよびフィルタ右側面１６ｆは、それぞれフィルタ前面１６ａの周縁とフィルタ後面１６ｂの周縁とを繋ぐように延びている。すなわち、フィルタ上側面１６ｃ，フィルタ下側面１６ｄ，フィルタ左側面１６ｅおよびフィルタ右側面１６ｆは、それぞれフィルタ後面１６ｂの周縁からハウジング１０の前壁１０ａの方向に延びている。
【００２６】
フィルタ前面１６ａは、フィルタ１６の一端としての上端部２６ａと、フィルタ１６の他端としての下端部２６ｂとを有する。上端部２６ａは、フィルタ前面１６ａのなかでフィルタ上側面１６ｃの近傍の部位である。下端部２６ｂは、フィルタ前面１６ａのなかでフィルタ下側面１６ｄの近傍の部位である。
【００２７】
さらにフィルタ前面１６ａは、フィルタ１６の一端としての左端部２６ｃと、フィルタ１６の他端としての右端部２６ｄとを有する。左端部２６ｃは、フィルタ前面１６ａのなかでフィルタ左側面１６ｅの近傍の部位である。右端部２６ｄは、フィルタ前面１６ａのなかでフィルタ右側面１６ｆの近傍の部位である。
【００２８】
フィルタ１６は、透過性を有する材料で形成される。したがって、ＬＣＤ１４の表示領域２２は、ハウジング１０の開口部１１およびフィルタ１６を通じて、ハウジング１０の外部から見ることができる。なお、フィルタ１６の一例としては、プライバシーフィルタが挙げられる。プライバシーフィルタとは、キーボード５のような入力手段によるＯＮ・ＯＦＦ動作により、所定角度からはＬＣＤ１４の表示領域２２を見ることができなくする機能を有したフィルタである。
【００２９】
ただし、フィルタ１６は、プライバシーフィルタに限らず、例えば電磁波遮断用のフィルタ、または外部光の反射を抑制するフィルタでも良い。さらに、パネルはフィルタに限らず、例えばタブレット、すなわちタブレット用のタッチパネルのようなものでも良い。さらにパネルは、ＬＣＤ１４の前に配置される板状の部材であって、透過性を有する部材、すなわちハウジング１０の外部からＬＣＤ１４の表示領域２２を見ることができる部材であれば、その用途、機能、および種類は問わない。
【００３０】
図３に示すように、固定具１７は、第１の部材としての上固定部材１７ａと、第２の部材としての下固定部材１７ｂとを備える。さらに固定具１７は、第１の部材としての左固定部材１７ｃと、第２の部材としての右固定部材１７ｄとを備える。
【００３１】
上固定部材１７ａ、下固定部材１７ｂ、左固定部材１７ｃおよび右固定部材１７ｄは、互いに別体に形成されている。以下に、下固定部材１７ｂについて詳しく説明し、上固定部材１７ａ、左固定部材１７ｃおよび右固定部材１７ｄについては、同一の機能を有する構成は、同一の符号を付してその説明を省略する。
【００３２】
図５に示すように、下固定部材１７ｂは、一端としての第１の部位３１、他端としての第２の部位３２、および折曲部３３を備えている。第１の部位３１および第２の部位３２は、下固定部材１７ｂの長手方向と直行する方向に互いに並んで配置され、それぞれ下固定部材１７ｂの長手方向に沿って延びている。折曲部３３は、第１の部位３１と第２の部位３２との間に位置している。下固定部材１７ｂは、第１の部位３１から第２の部位３２までが同一面上に位置するシート状に成形される。
【００３３】
下固定部材１７ｂは、第１の面としての上面３６、および第２の面としての下面３７を有する。第１の部位３１は、下面３７に第１の接着層３８を有する。第２の部位３２は、下面３７に第２の接着層３９を有する。第１および第２の接着層３８，３９は、例えば両面テープである。
【００３４】
折曲部３３は、下固定部材１７ｂの長手方向に沿って、折り曲げライン３３ａを有する。折曲部３３は、折り曲げライン３３ａに沿って、下固定部材１７ｂの上面３６から下面３７に貫通する複数のスリット４０を有する。
【００３５】
図６に示すように、下固定部材１７ｂは、折曲部３３の折り曲げライン３３ａに沿って、第１の部位３１を第２の部位３２に対して９０°折り曲げたＬ字形の状態で使用する。
【００３６】
このＬ字形の状態で、図４に示すように、下固定部材１７ｂの上面３６がハウジング１０の内部に露出するとともに、下面３７がＬＣＤ１４およびフィルタ１６に臨むようにして、下固定部材１７ｂをＬＣＤ１４およびフィルタ１６に取付ける。
【００３７】
具体的には、下固定部材１７ｂの第２の部位３２をフィルタ前面１６ａの下端部２６ｂに沿って配置し、第１の部位３１をＬＣＤ１４の下側面１４ｄ沿って配置する。これにより、下固定部材１７ｂの第２の部位３２は、第２の接着層３９を介して、フィルタ前面１６ａの下端部２６ｂに接着される。下固定部材１７ｂの第１の部位３１は、第１の接着層３８を介して、ＬＣＤ１４の下側面１４ｄに接着される。これにより、フィルタ１６は、ＬＣＤ１４に固定される。
【００３８】
図３に示すように、上固定部材１７ａ、左固定部材１７ｃ、および右固定部材１７ｄも同様に、第１の部位３１、第２の部位３２および折曲部３３を有する。  
上固定部材１７ａの第２の部位３２は、フィルタ前面１６ａの上端部２６ａに接着され、第１の部位３１は、ＬＣＤ１４の上側面１４ｃに接着される。左固定部材１７ｃの第２の部位３２は、フィルタ前面１６ａの左端部２６ｃに接着され、第１の部位３１は、ＬＣＤ１４の左側面１４ｅに接着される。右固定部材１７ｄの第１の部位３１は、フィルタ前面１６ａの右端部２６ｄに接着され、第２の部位３２は、ＬＣＤ１４の右側面１４ｆに接着される。
【００３９】
なお、図２および図３に示すように、ＬＣＤ１４の左側面１４ｅおよび右側面１４ｆは、ＬＣＤ１４をハウジングベース６に固定するためのねじ穴４２を有する。さらに、フィルタ１６を制御する図示しない基板に接続されるケーブル４３は、フィルタ下側面１６ｄから延びている。下固定部材１７ｂ、左固定部材１７ｃ、および右固定部材１７ｄは、これらのケーブル４３およびねじ穴４２を避けるように切欠かれている。
【００４０】
なお、固定具１７の材料の一例は、樹脂である。ただし、固定具１７の材料は、樹脂に限られるものではなく、例えばゴムなどでも良い。さらに、製造段階でＬ字形に折り曲げられた板金などでも良く、その種類は問わない。
【００４１】
次にポータブルコンピュータ１の作用について説明する。  
ポータブルコンピュータ１の液晶表示モジュール８を組立てるとき、ＬＣＤ１４は、前面１４ａを上方に向けた姿勢で準備されている。この前面１４ａが上方を向いた状態で、まずスペーサ１５をＬＣＤ１４の前面１４ａに取付ける。フィルタ１６は、ＬＣＤ１４との間にスペーサ１５を挟むようにして、ＬＣＤ１４の前面１４ａの上に載置される。
【００４２】
フィルタ１６をＬＣＤ１４上に載置した状態で、Ｌ字形に折り曲げられた上固定部材１７ａ、下固定部材１７ｂ、左固定部材１７ｃおよび右固定部材１７ｄを、順次、フィルタ１６とＬＣＤ１４に接着し、フィルタ１６をＬＣＤ１４に固定する。このようにして液晶表示モジュール８が組立てられる。
【００４３】
表示ユニット３を組立てるとき、フィルタ１６は、ＬＣＤ１４と一体にハウジング１０に収容される。フィルタ１６は、ＬＣＤ１４が固定金具７ａ，７ｂを介してハウジング１０に固定されることで、その位置が固定される。
【００４４】
一方、表示ユニット３を分解する際には、フィルタ１６およびＬＣＤ１４は、液晶表示モジュール８として一体にハウジング１０内から取り出すことができる。さらに、固定具１７をフィルタ１６およびＬＣＤ１４から剥がすことで、フィルタ１６をＬＣＤ１４から容易に取り外すことができる。
【００４５】
このような構成のポータブルコンピュータ１によれば、フィルタ１６は、ＬＣＤ１４と一体にハウジング１０に取付け、取外しを行うことができる。特に、固定具１７のフィルタ１６およびＬＣＤ１４に対する取付手段を接着にすることで、ねじやその他の固定用部品を用いることなく、フィルタ１６をＬＣＤ１４に簡単に固定することができる。これにより、表示ユニット３の良好な組立性、および保守交換性を確保することができる。
【００４６】
さらに、固定具１７のフィルタ１６およびＬＣＤ１４に対する取付手段を接着とすることで、固定具１７は、その断面形状を従来のコの字形にする必要が無くなる。例えば本実施形態のようにＬ字形断面を有する固定具１７によっても、フィルタ１６をＬＣＤ１４に固定することができる。したがって、従来のように固定具の一部を変形させつつ、その固定具の内部にフィルタ１６を挿入するといった複雑な作業を必要としない。本実施形態の表示ユニット３の組立では、ＬＣＤ１４とフィルタ１６とを単に重ねて、そこに上方から固定具１７を取付けるだけであるので、作業が単純であり、表示ユニット３の組立性が良い。
【００４７】
本実施形態の固定具１７は、ＬＣＤ１４の後面１４ｂより背後にいずれの固定部材も有しない。したがって、従来のコの字形の保持部材を用いた表示ユニットに比べて、表示ユニット３を薄くすることができる。
【００４８】
固定具１７の断面をＬ字形に形成し、フィルタ前面１６ａに接着する第２の部位３２を有することで、フィルタ側面１６ｃ，１６ｄ，１６ｅ，１６ｆだけではあまり大きく確保できない接着面を十分に確保することができる。これにより、フィルタ１６をＬＣＤ１４に確実に固定することができる。
【００４９】
さらに、固定具１７の断面をＬ字形にすることで、例えば図７に示すようなＬＣＤ１４に対して幅方向に小さいフィルタ１６であっても、ＬＣＤ１４に固定することができる。すなわち、フィルタ１６の大きさをＬＣＤ１４に合わせて精密に作る必要がなく、製造コストの抑制、および製造時間の短縮を図ることができる。
【００５０】
固定具１７を４つの別体の固定部材１７ａ，１７ｂ，１７ｃ，１７ｄに分けて形成することで、フィルタ１６のＬＣＤ１４に対する取付けを柔軟に行うことができる。すなわち、従来のように４辺が一体に形成されたフレーム状の固定具は、ＬＣＤ１４に対する取付け方向が上方または下方に限られる。しかし、本実施形態の固定部材１７ａ，１７ｂ，１７ｃ，１７ｄは、フィルタ１６の上方からのみならず、水平方向や斜め上方といった、その場合に応じた方向から取付けることができる。これは表示ユニット３の組立性を向上させる。
【００５１】
さらに、一つまたは複数の固定部材１７ａ，１７ｂ，１７ｃ，１７ｄの接着力が劣化した場合、その固定部材のみを取り替えることができる。これは、表示ユニット３の保守性を向上させる。固定部材１７ａ，１７ｂ，１７ｃ，１７ｄを別体に成形することで、これらを一体に成形する場合に比べて、材料の歩留まりを良くすることができる。
【００５２】
フィルタ１６とＬＣＤ１４との間にスペーサ１５を配置することで、ＬＣＤ１４とフィルタ１６との間に間隙Ｇを確保できる。この間隙Ｇにより、フィルタ１６やＬＣＤ１４のたわみ、反り、その他変形によるフィルタ１６の表面とＬＣＤ１４の表面との接触を防止することができる。
【００５３】
特に本実施形態のように、スペーサ１５を固定具１７と別体に形成することで、スペーサ１５をＬＣＤ１４に取付ける作業と、固定具１７によりフィルタ１６をＬＣＤ１４に固定する作業とを独立して行うことができ、表示ユニット３の組立性、および保守交換性を高めることができる。
【００５４】
固定部材１７ａ，１７ｂ，１７ｃ，１７ｄをシート状に成形することで、製造を容易にするとともに、製造コストを抑えることができる。
【００５５】
折曲部３３がスリット４０を有することで、固定部材１７ａ，１７ｂ，１７ｃ，１７ｄが折り曲げやすくなり、作業性を高めることができる。さらに、このスリット４０は、静電気を帯びた例えば人間の手のようなものが固定具１７に触れたとき、その帯電している静電気をＬＣＤ１４を通じて液晶表示モジュール８の外部に逃がすアースとしても機能する。
【００５６】
次に、本発明の第２の実施形態に係る電子機器としてのポータブルコンピュータ１ａを、図８および図９を参照して説明する。なお第１の実施形態に係るポータブルコンピュータ１と同じ機能を有する構成は、同一の符号を付してその説明を省略する。
【００５７】
ポータブルコンピュータ１ａの液晶表示モジュール８は、固定具５１を有する。図８に示すように、固定具５１は、第１の部材としての上固定部材５１ａと、第２の部材としての下固定部材５１ｂとを備える。さらに固定具５１は、第１の部材としての左固定部材５１ｃと、第２の部材としての右固定部材５１ｄとを備えている。上固定部材５１ａ、下固定部材５１ｂ、左固定部材５１ｃおよび右固定部材５１ｄは、互いに別体に形成されている。
【００５８】
図９に示すように、固定部材５１ａ，５１ｂ，５１ｃ，５１ｄは、それぞれ一端としての第１の部位３１、および他端としての第２の部位３２を有するとともに、第１の部位３１および第２の部位３２が同一面上に位置するシート状に形成されている。
【００５９】
このシート状の状態で、固定部材５１ａ，５１ｂ，５１ｃ，５１ｄは、第２の部位３２を、それぞれフィルタ側面１６ｃ，１６ｄ，１６ｅ，１６ｆに沿うように配置し、第１の部位３１を、それぞれＬＣＤ１４の側面１４ｃ，１４ｄ，１４ｅ，１４ｆに沿うように配置する。
【００６０】
これにより、上固定部材５１ａの第２の部位３２は、フィルタ１６の一端としてのフィルタ上側面１６ｃに接着され、第１の部位３１は、ＬＣＤ１４の上側面１４ｃに接着される。下固定部材５１ｂの第２の部位３２は、フィルタ１６の他端としてのフィルタ下側面１６ｄに接着され、第１の部位３１は、ＬＣＤ１４の下側面１４ｄに接着される。
【００６１】
左固定部材５１ｃの第２の部位３２は、フィルタ１６の一端としてのフィルタ左側面１６ｅに接着され、第１の部位３１は、ＬＣＤ１４の左側面１４ｅに接着される。右固定部材５１ｄの第２の部位３２は、フィルタ１６の他端としてのフィルタ右側面１６ｆに接着され、第１の部位３１は、ＬＣＤ１４の右側面１４ｆに接着される。
【００６２】
このような構成のポータブルコンピュータ１ａによっても、固定具１７のフィルタ１６およびＬＣＤ１４に対する取付手段を接着とすることで、表示ユニット３の良好な組立性、および保守交換性を確保することができる。さらに、取付手段を接着とすることで、シート状の固定具５１によっても、フィルタ１６をＬＣＤ１４に固定することができる。
【００６３】
本実施形態の表示ユニット３の組立では、ＬＣＤ１４とフィルタ１６とを単に重ねて、そこに水平方向から固定部材５１ａ，５１ｂ，５１ｃ，５１ｄを順次取付けるだけであるので、作業が単純であり、表示ユニット３の組立性が良い。本実施形態の固定具５１は、ＬＣＤ１４の前面１４ａおよび後面１４ｂに固定部材を有しない。したがって、表示ユニット３を薄くすることができる。
【００６４】
次に、本発明の第３の実施形態に係る電子機器としてのポータブルコンピュータ１ｂを、図１０ないし図１２を参照して説明する。なお第１の実施形態に係るポータブルコンピュータ１と同じ機能を有する構成は、同一の符号を付してその説明を省略する。
【００６５】
ポータブルコンピュータ１ｂの液晶表示モジュール８は、固定具６１を有する。図１０に示すように、固定具６１は、第１の部材としての上固定部材６１ａと、第２の部材としての下固定部材６１ｂとを備える。さらに固定具６１は、第１の部材としての左固定部材６１ｃと、第２の部材としての右固定部材６１ｄとを備えている。上固定部材６１ａ、下固定部材６１ｂ、左固定部材６１ｃおよび右固定部材６１ｄは、互いに別体に形成されている。
【００６６】
図１１に示すように、固定部材６１ａ，６１ｂ，６１ｃ，６１ｄは、それぞれ一端としての第１の部位３１および第３の部位６２、ならびに他端としての第２の部位３２を有する。第２の部位３２は、第１の部位３１に対して９０°折れ曲がっている。第３の部位６２は、第１の部位３１に対して９０°折れ曲がっている。すなわち固定部材６１ａ，６１ｂ，６１ｃ，６１ｄは、コの字形の断面形状を有している。第３の部位６２は、下面３７に第３の接着層６３を有する。
【００６７】
固定部材６１ａ，６１ｂ，６１ｃ，６１ｄは、第２の部位３２を、それぞれフィルタ前面１６ａの端部２６ａ，２６ｂ，２６ｃ，２６ｄに沿うように配置し、第１の部位３１を、それぞれＬＣＤ１４の側面１４ｃ，１４ｄ，１４ｅ，１４ｆに沿うように配置する。さらに固定部材６１ａ，６１ｂ，６１ｃ，６１ｄは、第３の部位６２をフィルタ後面１６ｂに沿うように配置する。
【００６８】
これにより、上固定部材６１ａの第２の部位３２は、フィルタ前面１６ａの上端部２６ａに接着され、第１の部位３１は、ＬＣＤ１４の上側面１４ｃに接着され、第３の部位は、ＬＣＤ１４の後面１４ｂに接着される。下固定部材６１ｂの第２の部位３２は、フィルタ前面１６ａの下端部２６ｂに接着され、第１の部位３１は、ＬＣＤ１４の下側面１４ｄに接着され、第３の部位は、ＬＣＤ１４の後面１４ｂに接着される。
【００６９】
左固定部材６１ｃの第２の部位３２は、フィルタ前面１６ａの左端部２６ｃに接着され、第１の部位３１は、ＬＣＤ１４の左側面１４ｅに接着され、第３の部位は、ＬＣＤ１４の後面１４ｂに接着される。右固定部材６１ｄの第２の部位３２は、フィルタ前面１６ａの右端部２６ｄに接着され、第１の部位３１は、ＬＣＤ１４の右側面１４ｆに接着され、第３の部位は、ＬＣＤ１４の後面１４ｂに接着される。
【００７０】
このような構成のポータブルコンピュータ１ｂによれば、固定具６１を４つの別体の固定部材６１ａ，６１ｂ，６１ｃ，６１ｄに分けて形成することで、表示ユニット３の組立性および保守交換性を向上させることができる。すなわち、従来のように固定具の一部を変形させつつ、その固定具の内部にフィルタ１６を挿入するといった複雑な作業を必要としない。本実施形態の表示ユニット３の組立では、ＬＣＤ１４とフィルタ１６とを単に重ねて、そこに水平方向から固定部材６１ａ，６１ｂ，６１ｃ，６１ｄを取付けるだけであるので、作業が単純であり、表示ユニット３の組立性が良い。
【００７１】
なお、本実施形態のように固定具６１をコの字形に形成すると、第１から第３の接着層３８，３９，６３を有しない固定具６５であっても、フィルタ１６をＬＣＤ１４に固定することができる。すなわち、図１２に示すように、固定具６５をフィルタ１６およびＬＣＤ１４に嵌合させることで、フィルタ１６をＬＣＤ１４に固定することができる。
【００７２】
以上、本発明の第１から第３の実施形態について説明したが、フィルタ後面１６ｂおよびＬＣＤ１４の前面１４ａを平滑に形成する措置を講じれば、図１３から図１５に示すように、フィルタ１６とＬＣＤ１４を互いに接するように並べ、スペーサ１５は省略しても良い。
【００７３】
スペーサ１５の数、スペーサ１５が取付けられる位置、範囲は、特に限定されるものでない。例えば、図１６に示すような、ＬＣＤ１４の表示領域２２を取り囲む枠形のスペーサ６６を用いてもよい。
【００７４】
図１７に示すように、４つの固定部材１７ａ，１７ｂ，１７ｃ，１７ｄが一体に形成されている固定具６７を用いても良い。図１８に示すように、４つの固定部材５１ａ，５１ｂ，５１ｃ，５１ｄが一体に形成されている固定具６８を用いても良い。この固定具６７，６８を用いた場合、表示ユニット３の組立性は、第１および第２の実施形態に係る表示ユニット３と比べると劣る。
【００７５】
しかし、固定具６７は、断面がＬ字形に形成されている。固定具６８はシート状に形成されている。すなわち、これらの固定具６７，６８を用いた場合でも、従来のように固定具の一部を変形させつつ、その固定具の内部にフィルタ１６を挿入するといった複雑な作業を必要としない。表示ユニット３の組立は、ＬＣＤ１４とフィルタ１６とを単に重ねて、そこに上方から固定具６７または固定具６８を取付けるだけであるので、作業が単純であり、表示ユニット３の組立性が良い。
【００７６】
次に、本発明の第４の実施形態に係る電子機器としてのポータブルコンピュータ１ｃを、図１９および図２０を参照して説明する。なお第１の実施形態に係るポータブルコンピュータ１と同じ機能を有する構成は、同一の符号を付してその説明を省略する。
【００７７】
ポータブルコンピュータ１ｃの液晶表示モジュール８は、固定具７１を有する。図１９に示すように、固定具７１は、第１の部材としての第１の固定部材７１ａと、第２の部材としての第２の固定部材７１ｂとを備える。
【００７８】
第１の固定部材７１ａは、第１の部位３１と第２の部位３２とを有する。第１の固定部材７１ａの第１の部位３１は、ＬＣＤ１４の上側面１４ｃの全体、左側面１４ｅの上端部位７２ａ、および右側面１４ｆの上端部位７２ｂを覆うように形成されている。第１の固定部材７１ａの第２の部位３２は、フィルタ前面１６ａの上端部２６ａの全体、フィルタ前面１６ａの左端部２６ｃの上端部位７３ａ、およびフィルタ前面１６ａの右端部２６ｄの上端部位７３ｂを覆うように形成されている。
【００７９】
第２の固定部材７１ｂは、第１の部位３１と第２の部位３２とを有する。第２の固定部材７１ｂの第１の部位３１は、ＬＣＤ１４の下側面１４ｄの全体、左側面１４ｅの下端部位７２ｃ、および右側面１４ｆの下端部位７２ｄを覆うように形成されている。第２の固定部材７１ｂの第２の部位３２は、フィルタ前面１６ａの下端部２６ｂの全体、フィルタ前面１６ａの左端部２６ｃの下端部位７３ｃ、およびフィルタ前面１６ａの右端部２６ｄの下端部位７３ｄを覆うように形成されている。
【００８０】
フィルタ１６の上端部２６ａは、第１の固定部材７１ａによりＬＣＤ１４に固定される。フィルタ１６の下端部２６ｂは、第２の固定部材７１ｂによりＬＣＤ１４に固定される。一方、フィルタ１６の左端部２６ｃおよび右端部２６ｄの大部分は、直接ＬＣＤ１４に固定されない。
【００８１】
しかし、第１の固定部材７１ａおよび第２の固定部材７１ｂにより、フィルタ１６の左端部２６ｃおよび右端部２６ｄの一部は保持される。これにより、フィルタ左側面１６ｅおよびフィルタ右側面１６ｆは、それぞれＬＣＤ１４の左側面１４ｅまたは右側面１４ｆと面の位置が合わされる。したがって、フィルタ１６は、ＬＣＤ１４と整合して状態で、ＬＣＤ１４に取付けられる。
【００８２】
このような構成のポータブルコンピュータ１ｃによっても、固定具７１のフィルタ１６およびＬＣＤ１４に対する取付手段を接着とすることで、表示ユニット３の良好な組立性、および保守交換性を確保することができる。
【００８３】
特に、固定具７１は、第１の固定部材７１ａおよび第２の固定部材７１ｂの２つの固定部材を有する。したがって、例えば第１から第３の実施形態に係る固定具１７，５１，６１と比べて、その取付けの手間が少なくなる。これは表示ユニット３の組立性に寄与する。
【００８４】
なお、図２０は、同じく２つの固定部材を有する固定具７５をしめす。固定具７５は、第１の部材としての第１の固定部材７５ａと、第２の部材としての第２の固定部材７５ｂとを備える。
【００８５】
第１の固定部材７５ａの第１の部位３１は、ＬＣＤ１４の上側面１４ｃの左部位７６ａ、および左側面１４ｅの上部位７６ｂを覆うように形成されている。第１の固定部材７５ａの第２の部位３２は、フィルタ前面１６ａの上端部２６ａの左部位７７ａ、およびフィルタ前面１６ａの左端部２６ｃの上部位７７ｂを覆うように形成されている。
【００８６】
第２の固定部材７５ｂの第１の部位３１は、ＬＣＤ１４の下側面１４ｄの右部位７６ｃ、および右側面１４ｆの下部位７６ｄを覆うように形成されている。第２の固定部材７５ｂの第２の部位３２は、フィルタ前面１６ａの下端部２６ｂの右部位７７ｃ、およびフィルタ前面１６ａの右端部２６ｄの下部位７７ｄを覆うように形成されている。  
このような固定具７５を用いても、固定具７１と同様の効果を達成することができる。
【００８７】
なお、フィルタ１６の側面１６ｃ，１６ｄ，１６ｅ、１６ｆをＬＣＤ１４の側面１４ｃ，１４ｄ，１４ｅ，１４ｆに合わせる措置を別に取れば、本実施形態に係る固定具７１または固定具７５を用いる必要はない。例えば、第１の実施形態に係る上固定部材１７ａおよび下固定部材１７ｂといった２つの固定部材によっても、フィルタ１６をＬＣＤ１４に取付けることができる。
【００８８】
次に、本発明の第５の実施形態に係る電子機器としてのポータブルコンピュータ１ｄを、図２１および図２２を参照して説明する。なお第１および第２の実施形態に係るポータブルコンピュータ１，１ａと同じ機能を有する構成は、同一の符号を付してその説明を省略する。
【００８９】
ポータブルコンピュータ１ｄの液晶表示モジュール８は、固定具８１を有する。図２１に示すように、固定具８１は、フィルタ後面１６ｂとＬＣＤ１４の前面１４ａとの間に配置され、ＬＣＤ１４とフィルタ１６との間に間隙Ｇを形成する。すなわち固定具８１は、スペーサ１５としても機能する。
【００９０】
固定具８１は、一端としての下面８１ａと、他端としての上面８１ｂを備えている。下面８１ａは、ＬＣＤ１４の前面１４ａと向かい合う。下面８１ａは、第１の接着層３８を有する。下面８１ａは、第１の接着層３８を介してＬＣＤ１４の前面１４ａに接着される。上面８１ｂは、フィルタ後面１６ｂと向かい合う。上面８１ｂは、第２の接着層３９を有する。上面８１ｂは、第２の接着層３９を介してフィルタ後面１６ｂに接着される。これにより、フィルタ１６は、ＬＣＤ１４に固定される。
【００９１】
このような構成のポータブルコンピュータ１ｄによっても、固定具８１のフィルタ１６およびＬＣＤ１４に対する取付手段を接着とすることで、表示ユニット３の良好な組立性、および保守交換性を確保することができる。さらに、固定具８１をスペーサ１５として機能させることで、専用のスペーサを取付ける必要もなく、表示ユニット３の組立性および保守交換性を高めることができる。本実施形態の固定具８１は、ＬＣＤ１４の前面１４ａおよび後面１４ｂに固定部材は存在しない。したがって、表示ユニット３を薄くすることができる。
【００９２】
なお、固定具８１の形状としては、図３に示すスペーサ１５のように、別体に形成された複数の固定具８１をＬＣＤ１４の前面１４ａに分かれて配置しても良く、図１６に示すスペーサ６６のように、ＬＣＤ１４の表示領域を取り囲むような枠形に形成しても良い。
【００９３】
さらに、図２２に示すように、第２の実施形態に係る固定具５１とスペーサ１５とを一体に形成した固定具８２を用いても良い。このような固定具８２を用いることで、スペーサ１５を固定具８２と別に取付ける作業を省略することができ、表示ユニット３の組立性および保守交換性を高めることができる。
【００９４】
次に、本発明の第６の実施形態に係る電子機器としてのポータブルコンピュータ１ｅを、図２３および図２４を参照して説明する。なお第１の実施形態に係るポータブルコンピュータ１と同じ機能を有する構成は、同一の符号を付してその説明を省略する。
【００９５】
ポータブルコンピュータ１ｅの液晶表示モジュール８は、スペーサ９１を有する。図２３に示すように、スペーサ９１は、ＬＣＤ１４の前面１４ａの右下コーナー部に取付けられる。スペーサ９１は、ＬＣＤ１４の上側面１４ｃを向けて延びる第１の部材９１ａと、ＬＣＤ１４の左側面１４ｅを向けて延びる第２の部材９１ｂとを備える。
【００９６】
一方、固定具１７の右固定部材１７ｄはＬＣＤ１４の右側面１４ｆに設けられたねじ穴４２を避けるように第１の切欠部９３ａを有する。固定具１７の下固定部材１７ｂは、ＬＣＤ１４の下側面１４ｄから外部に延びるケーブル９２を避けるように第２の切欠部９３ｂを有する。
【００９７】
スペーサ９１の第１の部材９１ａは、第１の切欠部９３ａの長手方向の長さより大きく延びている。スペーサ９１の第２の部材９１ｂは、第２の切欠部９３ｂの長手方向の長さより大きく延びている。なお、液晶表示モジュール８は、ＬＣＤ１４の前面１４ａの右下コーナー部以外のコーナー部にも、それぞれそのコーナー部に対応する形状をしたスペーサ９１を有している。
【００９８】
このような構成のポータブルコンピュータによっても、表示ユニット３の良好な組立性、および保守交換性を確保することができる。  
特に本実施形態のようなスペーサ９１を用いると、図２４に示すように、液晶表示モジュール８の側面が完全に密閉される。すなわち、液晶表示モジュール８は、本来、ＬＣＤ１４とフィルタ１６との間に間隙Ｇを有する。この間隙Ｇは液晶表示モジュール８の外部と連通しているため、この間隙Ｇから外部のゴミやチリのような異物が液晶表示モジュール８の内部に侵入してしまう。
【００９９】
しかし、本実施形態の液晶表示モジュール８は、液晶表示モジュール８の側面に開口する間隙Ｇの大部分は、固定具１７により蓋されている。さらに、固定具１７によって蓋されていない液晶表示モジュール８の各コーナー部は、スペーサ９１によって蓋されている。これにより、外部から液晶表示モジュール８の内部に異物が侵入することを防止することができる。
【０１００】
以上、第１から第６の実施形態に係るポータブルコンピュータ１，１ａ，１ｂ，１ｃ，１ｄ，１ｅについて説明したが、本発明はもちろんこれらに限定されるものではない。本発明は、ディスプレイの前に例えばフィルタやタブレットのようなパネルを備える電子機器であれば適用することができる。例えば、携帯電話や、液晶またはプラズマテレビのような電子機器にも適用可能である。
【図面の簡単な説明】
【０１０１】
【図１】本発明の第１の実施形態のポータブルコンピュータの斜視図。
【図２】図１中に示された表示ユニットの分解斜視図。
【図３】図２中に示された液晶表示モジュールの分解斜視図。
【図４】図１中に示された表示ユニットのＡ−Ａ線に沿う断面図。
【図５】図３中に示された下固定部材の製造段階での状態を示す斜視図。
【図６】図３中に示された下固定部材の使用時での状態を示す斜視図。
【図７】本発明の第１の実施形態のポータブルコンピュータの変形例の断面図。
【図８】本発明の第２の実施形態の液晶表示モジュールの斜視図。
【図９】本発明の第２の実施形態のポータブルコンピュータの断面図。
【図１０】本発明の第３の実施形態の液晶表示モジュールの斜視図。
【図１１】本発明の第３の実施形態のポータブルコンピュータの断面図。
【図１２】本発明の第３の実施形態のポータブルコンピュータの変形例の断面図。
【図１３】本発明の第１の実施形態のポータブルコンピュータの変形例の断面図。
【図１４】本発明の第２の実施形態のポータブルコンピュータの変形例の断面図。
【図１５】本発明の第３の実施形態のポータブルコンピュータの変形例の断面図。
【図１６】本発明の第１の実施形態の液晶表示モジュールの変形例の斜視図。
【図１７】本発明の第１の実施形態の液晶表示モジュールの変形例の斜視図。
【図１８】本発明の第２の実施形態の液晶表示モジュールの変形例の斜視図。
【図１９】本発明の第４の実施形態の液晶表示モジュールの斜視図。
【図２０】本発明の第４の実施形態の液晶表示モジュールの変形例の斜視図。
【図２１】本発明の第５の実施形態のポータブルコンピュータの断面図。
【図２２】本発明の第５の実施形態のポータブルコンピュータの変形例の断面図。
【図２３】本発明の第６の実施形態の液晶表示モジュールの分解斜視図。
【図２４】図２３中に示された液晶表示モジュールのＢ方向から見た側面図。
【符号の説明】
【０１０２】
１…ポータブルコンピュータ、２…本体、３…表示ユニット、８…液晶表示モジュール、１０…ハウジング、１０ａ…前壁、１０ｂ…後壁、１１…開口部、１４…ＬＣＤ、１４ａ…前面、１４ｂ…後面、１４ｃ…上側面、１４ｄ…下側面、１４ｅ…左側面、１４ｆ…右側面、１５…スペーサ、１６…フィルタ、１６ａ…フィルタ前面、１６ｂ…フィルタ後面、１６ｃ…フィルタ上側面、１６ｄ…フィルタ下側面、１６ｅ…フィルタ左側面、１６ｆ…フィルタ右側面、１７…固定具、１７ａ…上固定部材、１７ｂ…下固定部材、１７ｃ…左固定部材、１７ｄ…右固定部材、２６ａ…上端部、２６ｂ…下端部、２６ｃ…左端部、２６ｄ…右端部、３１…第１の部位、３２…第２の部位、３３…折曲部、３６…上面、３７…下面、４０…スリット、８１…固定具。
【図１】
2007034890.tif 000003
【図２】
2007034890.tif 000004
【図３】
2007034890.tif 000005
【図４】
2007034890.tif 000006
【図５】
2007034890.tif 000007
【図６】
2007034890.tif 000008
【図７】
2007034890.tif 000009
【図８】
2007034890.tif 000010
【図９】
2007034890.tif 000011
【図１０】
2007034890.tif 000012
【図１１】
2007034890.tif 000013
【図１２】
2007034890.tif 000014
【図１３】
2007034890.tif 000015
【図１４】
2007034890.tif 000016
【図１５】
2007034890.tif 000017
【図１６】
2007034890.tif 000018
【図１７】
2007034890.tif 000019
【図１８】
2007034890.tif 000020
【図１９】
2007034890.tif 000021
【図２０】
2007034890.tif 000022
【図２１】
2007034890.tif 000023
【図２２】
2007034890.tif 000024
【図２３】
2007034890.tif 000025
【図２４】
2007034890.tif 000026